(57)【要約】デバイスを操作するフィードバック及び制御方法が提供される。この方法は、初心者ユーザを含むユーザの認知負荷を最小限にすることを目指し、デバイスの効率的で有能な制御と最適構成間の情報に基づく選択を可能にすることを目指す。この方法は、複数の変数の各々を代表する値を決定するステップと、表示コンポーネントを使用してディスプレイ上に変数の各々を表すステップであって、各表示コンポーネントの寸法は、対応する変数を代表する値に比例し、各変数を表す表示コンポーネントは、値の合計が所定の定数（Ｘ）に等しいとき、実質的に連続して配置される表示コンポーネントがディスプレイ上の原点とディスプレイ上の目標終点との間に延在するように、実質的に連続して配置されるステップと、値の１つを変更する入力を受け取るステップと、対応する表示コンポーネントを結果として調整するステップとを含む。
2020525862.tif 000002
【特許請求の範囲】
【請求項１】
シーンの画像をキャプチャするよう動作可能な画像キャプチャデバイスを操作するフィードバック及び制御方法であって、前記デバイスは視覚ディスプレイを有し、当該方法は：
複数の画像変数の各々を代表する値を決定するステップであって、前記の変数は、キャプチャされる画像の画像輝度に影響を与えるファクタを含む、ステップと；
表示コンポーネントを使用して前記視覚ディスプレイ上に前記画像変数の各々を表すステップであって、各表示コンポーネントの寸法は、対応する画像変数を代表する値に比例し、前記画像変数の各々を表す前記表示コンポーネントは、前記値の合計が、キャプチャされる前記画像の目標画像輝度に対応する所定の定数に等しいとき、実質的に隣接して配置される表示コンポーネントが前記ディスプレイ上の原点と前記ディスプレイ上の目標終点との間に延在するように、実質的に隣接して配置され、各表示コンポーネントは、前記対応する画像変数を代表する値に比例する前記寸法が、該表示コンポーネントの第１端部と第２端部との間に延在するように、前記ディスプレイ上に示される形状を有し、前記表示コンポーネントは、前記画像変数の１つに対応する表示コンポーネントの前記第１端部が、直前の表示コンポーネントの前記第２端部に隣接するように配置される、ステップと；
前記画像変数のうちの１つを代表する値を変更する入力を受け取り、対応する表示コンポーネントと前記画像キャプチャデバイスの対応する属性との両方を、結果として調整するステップと；
前記値の合計が前記所定の定数に等しくなるように、１つ以上の他の変数を代表する１つ以上の他の値を、結果として調整するステップと；
調整された前記値の各々に対して、前記調整された画像変数に対応する表示コンポーネントを調整するステップと；
前記入力の受け取ることにより変更された前記画像変数を使用して、画像をキャプチャするステップと；
を含む、方法。
【請求項２】
前記目標終点は、更なる表示コンポーネントによって前記ディスプレイ上に示される、
請求項１に記載の方法。
【請求項３】
前記表示コンポーネントは、前記ディスプレイによって示される、対応して成形された要素を含む、
請求項１又は２に記載の方法。
【請求項４】
表示コンポーネントの各々は、前記ディスプレイ上に示される円弧を含み、前記円弧の長さは、各画像変数を代表する値に比例する、
請求項１乃至３のいずれか一項に記載の方法。
【請求項５】
代表値の合計が前記所定の定数に等しいとき、前記実質的に隣接して配置される表示コンポーネントは円の円周の周りに延在する、
請求項４に記載の方法。
【請求項６】
表示コンポーネントの各々は、前記ディスプレイ上に示される線及び平行四辺形のいずれかを含み、前記線又は平行四辺形の長さは、各画像変数を代表する値に比例する、
請求項１乃至５のいずれか一項に記載の方法。
【請求項７】
前記画像キャプチャデバイスの属性に関連付けられる画像変数を代表する、調整された前記値のいずれかについて、前記表示コンポーネントと前記調整された値に対応する前記画像キャプチャデバイスの属性との両方を調整する、
請求項１乃至６のいずれか一項に記載の方法。
【請求項８】
前記ファクタは、画像キャプチャデバイスの属性と、前記シーンのシーン輝度に影響を与える条件とを含む、
請求項１乃至７のいずれか一項に記載の方法。
【請求項９】
前記変数は、絞りサイズ、シャッター速度及び前記画像キャプチャデバイスの画像センサの感度、並びに前記シーンのシーン輝度を含む、
請求項１乃至８のいずれか一項に記載の方法。
【請求項１０】
前記変数は、フラッシュ強度及び任意の中性濃度フィルタの光学濃度を更に含む、
請求項１乃至９のいずれか一項に記載の方法。
【請求項１１】
前記所定の定数は、可視光の１０％〜２０％の反射率、好ましくは可視光の１２．５％〜１８％の反射率に等しい平均輝度を有する、キャプチャされた画像を得ることになる代表値の合計に対応する、
請求項１乃至１０のいずれか一項に記載の方法。
【請求項１２】
前記変数の各々を代表する前記値は各々、対応する変数と正に相関する、
請求項１乃至１１のいずれか一項に記載の方法。
【請求項１３】
前記変数の各々を代表する前記値は、前記キャプチャされる画像の前記画像輝度と正に相関する、
請求項１乃至１２のいずれか一項に記載の方法。
【請求項１４】
前記入力を受け取ることにより変更された１つ以上の画像変数を使用して画像のキャプチャを開始するユーザ入力を受け取るステップ、
を更に含む、請求項１乃至１３のいずれか一項に記載の方法。
【請求項１５】
複数の画像変数の各々を代表する値を決定するステップは、
前記画像キャプチャデバイスの１つ以上の入力部の各々から初期値を取得するステップを含み、前記入力は、前記画像キャプチャデバイスのユーザコントロールと、外部デバイス接続部と、前記画像キャプチャデバイスのセンサとのうちの１つ以上から取得される、
請求項１乃至１４のいずれか一項に記載の方法。
【請求項１６】
表示コンポーネントを使用してディスプレイ上に前記画像変数の各々を表すステップは：
前記の変数の各々について、前記画像キャプチャデバイスの電子視覚ディスプレイ上に対応する表示コンポーネントを生成すること；及び
前記の変数の各々について、機械的ディスプレイの対応する表示コンポーネントを提供すること；
のいずれかを含む、請求項１乃至１５のいずれか一項に記載の方法。
【請求項１７】
プログラム可能なコンピュータによって解釈されると、請求項１乃至１６のいずれか一項に記載の方法を前記コンピュータに実行させる、コンピュータ解釈可能な命令を記憶するコンピュータ読取可能媒体。
【請求項１８】
シーンの画像をキャプチャするように構成される画像キャプチャデバイスであって、当該画像キャプチャデバイスは：
画像センサと；
複数の入力部と；
ディスプレイと；
プロセッサと；
を含み、前記プロセッサは、
複数の画像変数の各々を代表する値を決定し、ここで、前記複数の画像変数は、前記シーンのシーン輝度に加えて、絞りサイズ又はシャッター速度又は当該画像キャプチャデバイスの画像センサの感度のうちの１つ以上を含み、
表示コンポーネントを使用して前記ディスプレイ上に前記画像変数の各々を表し、ここで、各表示コンポーネントの寸法は、対応する画像変数の値に比例し、前記画像変数の各々を表す前記表示コンポーネントは、前記画像変数の合計が、キャプチャされる前記画像の目標画像輝度に対応する所定の定数に等しいとき、実質的に隣接して配置される表示コンポーネントが前記ディスプレイ上の原点と前記ディスプレイ上の目標終点との間に延在するように、実質的に隣接して配置され、
前記値のうち、前記画像変数の１つを代表する値を変更する入力を受け取り、前記画像変数の合計が前記所定の定数に等しくなるように、他の画像変数を代表する１つ以上の他の値を結果として調整し、調整された前記値の各々に対して、前記調整された画像変数に対応する表示コンポーネントを調整し、
前記画像センサに、現在の画像変数を使用して画像をキャプチャさせる、
ように構成される、画像キャプチャデバイス。
【請求項１９】
前記入力部は、当該画像キャプチャデバイスのユーザコントロールを含む、
請求項１８に記載の画像キャプチャデバイス。
【請求項２０】
当該画像キャプチャデバイスの前記ユーザコントロールは、タッチスクリーン、タッチパッド、音声ユーザインタフェース、ジェスチャ認識デバイス、動き感知デバイス及び手動操作式ユーザ入力デバイスのうちの１つ以上を含む、
請求項１９に記載の画像キャプチャデバイス。
【請求項２１】
前記入力部は、外部デバイス接続部及び当該画像キャプチャデバイスのセンサのうちの１つ以上を含む、
請求項１９又は２０に記載の画像キャプチャデバイス。
【請求項２２】
前記ディスプレイは、電子視覚ディスプレイと機械的ディスプレイのいずれかを含む、
請求項１８乃至２１のいずれか一項に記載の画像キャプチャデバイス。
【請求項２３】
当該画像キャプチャデバイスは、前記画像センサを提供するカメラデバイス及び前記ディスプレイと前記複数の入力部の１つ以上とを提供する周辺コントロールデバイスを含み、前記周辺コントロールデバイス及び前記カメラデバイスは、互いに通信するように構成されている、
請求項１８乃至２２のいずれか一項に記載の画像キャプチャデバイス。
【請求項２４】
前記プロセッサは、前記カメラデバイス及び前記周辺コントロールデバイスのいずれかによって提供される、
請求項２３に記載の画像キャプチャデバイス。
【発明の詳細な説明】
【技術分野】
【０００１】
本発明は、フィードバック及び制御方法を提供するデバイスを動作させる方法に関し、初心者ユーザを含むユーザの認知負荷を緩和することを目指し、デバイスの効率的で有能な制御及び最適構成間の情報に基づく選択を可能にすることを目指す。特に、本発明は、画像キャプチャデバイスに適用することができるが、他のデバイスが、提供されるフィードバック入力及び制御入力を利用することも可能である。
【背景技術】
【０００２】
デバイスは、典型的に、ユーザコントロール及びディスプレイ画面を備える。時には、コントロールは、例えばノブ、ボタン及びダイヤルの形態の物理的コントロールである。時には、コントロールは、例えばタッチスクリーン上に表示される仮想的なものである。また、仮想と物理的コントロールの組合せを提供することも可能である。ディスプレイ画面は、単に情報を表示するために、あるいは（例えばタッチスクリーンを使用して）情報を表示するだけでなく入力を受け取るために設けられることがある。典型的には、ユーザによって選択されたコントロールに関するフィードバックは、物理的コントロールに関する物理的指示（例えば間隔を空けた行、数字又はアイコンのようなマークを使用して）によって、ディスプレイ上に（例えば画面上でグラフィックを動的に変化させることによって、あるいは数字、文字又はアイコンの単純な表示によって）提供される。
【０００３】
このようなユーザコントロール及びディスプレイ画面を提供するデバイスの好例は、例えば静止画像カメラ又はビデオカメラのような画像キャプチャデバイスである。
【０００４】
画像キャプチャデバイスは、画像をキャプチャするためのデバイスであり、画像は、ローカルに記憶されても、別の場所に送信されても又はその両方であってもよい。画像は、個々の静止写真、あるいはビデオ又はムービーを構成する画像のシーケンスであってよい。
【０００５】
したがって、本明細書で使用されるとき、「画像キャプチャデバイス」という用語は、シーンの（すなわち、画像キャプチャデバイスの視野（field  of  view）内にある）画像をキャプチャするために使用することができる任意のデバイスを指し、この用語は、フィルム又は電子画像センサのいずれかを使用する写真撮影用の静止カメラ、デジタルカメラ、ビデオ又はムービーカメラ、カムコーダー、望遠鏡、顕微鏡、内視鏡、（仮想環境内で使用される）仮想カメラ、内蔵カメラを有するコンピューティングデバイス（スマートフォン、スマートウォッチ、スマートグラス、タブレット、ラップトップ、デスクトップを含む）、複数のカメラの出力を組み合わせて単一の画像にするかビデオ又はムービー等を構成する画像のシーケンスにする計算画像化技術（computational  imaging  techniques）を使用するイメージングデバイスを含む。
【０００６】
図１は、筐体１１、レンズ１２、絞り（aperture）１４を画定する光ダイヤフラム１３、シャッター１５及び画像センサ１６を備える、従来の画像キャプチャデバイス１０を概略的に図示している。レンズ１２は、画像キャプチャデバイスの視野内にあるシーンを構成する物体から反射又は放射された光を画像センサ１６上に集束させる。シャッター１５は、光が画像キャプチャデバイス１０に入ることができる時間の長さを制御する。光ダイヤフラム１３によって画定される絞り１４のサイズは、レンズ１２を通過する光の量を調節し、被写界深度を制御する。被写界深度は、焦点が合っているように見えるシーン内の最も近い物体と最も遠い物体との間の距離である。絞り１４のサイズを小さくすることは被写界深度を増加させ、反対に、絞り１４のサイズを大きくすることは被写界深度を減少させる。画像キャプチャデバイスのタイプに応じて、画像センサ１６は、感光性材料（例えば写真フィルム）又は電子画像センサ（例えば電荷結合素子（ＣＣＤ）画像センサ又はアクティブピクセルセンサ（ＡＰＳ）／ＣＭＯＳ画像センサ）のいずれかとなる。
【０００７】
したがって、キャプチャされる画像に影響を与える画像キャプチャデバイスの可変属性は、絞りのサイズ、シャッター速度／露出時間及び画像センサの感度を含む。使い捨てカメラのようないくつかの単純な形態の画像キャプチャデバイスは、これらの属性に対する制御をほとんど提供しないか又は全く提供しないが、デジタル一眼レフ（ＤＳＬＲ）カメラのような、より高度な画像キャプチャデバイスは、ユーザがこれらの属性の各々を制御する手段を提供する。しかしながら、そのようなデバイスでは、これらの属性の各々は他のものから独立して制御され、フィードバックは、これらの変数の各々についての代表値の独立した表示によって提供されるだけである。これらのデバイスが、ユーザによるこれらの可変属性の１つの変更の結果として、他の属性の１つにおける自動的な結果として起こる変更（consequential  change）がもたらされる半自動モードを提供するときであっても、画像キャプチャデバイスは、この結果として起こる変更が、キャプチャされる画像に対して与えることになる効果について、直接的で直感的なフィードバックを提供しない。
【０００８】
例として、従来のデジタルＳＬＲ及びミラーレスカメラは、典型的には、ユーザが手動、半自動及び自動露出モードを選択することを可能にする。手動モードでは、カメラの露出設定はすべてユーザによって互いに独立に制御され、自動モードでは、カメラの露出設定はすべて、カメラの内部処理によって制御される。次に、半自動モードは、典型的に、以下を含む様々なサブモードを有する：
●  絞り優先モード  −  このモードでは、ユーザが絞りとＩＳＯ値を設定し、カメラの内部処理が、「適正露出」を実現するようにシャッター速度を設定する；
●  シャッター優先モード  −  このモードでは、ユーザがシャッター速度とＩＳＯ値を設定し、カメラの内部処理が、「適正露出」を実現するように絞り値を設定する；
●  プログラムモード  −  このモードでは、ユーザがＩＳＯ値と、絞り及びシャッター速度のうちの一方を設定し、次いでカメラの内部処理が、絞りとシャッター速度のうちの他方を設定して補正し「適正露出」を実現する。
【０００９】
したがって、ユーザが半自動モードで操作したいときは、シャッターを押す前に、最低２つの露出設定操作を行わなければならない。具体的には、ユーザはカメラを所望の半自動モードに変更し、カメラの内部処理によって自動的に設定されない変数の一方又は両方を設定しなければならない。
【００１０】
加えて、これらの変数属性のために使用される代表値は、キャプチャされた画像に対するそれらの効果と直ちに明白な相関性を有しないので、ユーザは、選択された値の特定の組合せが適切な画像をキャプチャする見込みがあるかどうかを知るために、有意な知識及び／又は以前の経験を有することを必要とする。
【００１１】
具体的には、これらの属性のユーザコントロールを提供する従来の画像キャプチャデバイスでは、絞りサイズは、レンズの焦点距離（ｆ）と開口径（Ｄ）との比である、Ｆ値又は口径比（relative  aperture）を使用して表される。したがって、画像センサに到達する光の量の増加をもたらす絞り径の増加、したがって、結果として起こる、キャプチャされた画像の輝度の増加（consequential  increase）は、画像キャプチャデバイス上に表示されるＦ値を減少させることを伴う。従来の画像キャプチャデバイスにおける絞りコントロールは、ストップとして知られる個別のステップで開口径を調整するようにも構成され、ここで各ストップは、Ｆ数をほぼ√２倍に増加又は減少させる。例えば標準のスケールは、ｆ／１、ｆ／１．４、ｆ／２、ｆ／２．８、ｆ／４、ｆ／５．６、ｆ／８、ｆ／１１、ｆ／１６、ｆ／２２、ｆ／３２、ｆ／４５、ｆ／６４、ｆ／９０、ｆ／１２８等の値を提供する。
【００１２】
シャッター速度又は露出時間は、画像キャプチャ中に画像センサが光に曝される時間の長さであり、秒単位の値によって表される。画像センサに到達する光の量は露出時間に比例する。したがって、画像センサに到達する光の量の増加につながる露出時間の増加、したがって、結果として起こる、キャプチャされる画像の輝度の増加は、画像キャプチャデバイスで表示される露出時間を増加させることを伴う。従来の画像キャプチャデバイスにおけるシャッター速度コントロールも、シャッター速度を個別のステップで調整するように構成され、標準的な画像キャプチャデバイスは、１／１０００、１／５００、１／２５０、１／１２５、１／６０、１／３０、１／１５、１／８、１／４等のシャッター速度スケールを提供する。
【００１３】
画像センサの感度は、従来的に、国際標準化機構（ＩＳＯ）によって定義される数値スケールを使用して表される（例えばカラーネガフィルムの場合はＩＳＯ  ５８００：２００１、デジタル静止カメラの場合はＩＳＯ  １２２３２：２００６）を用いて表される。例えば典型的な画像キャプチャデバイスは、最低限でも１００、２００、４００、８００及び１６００のＩＳＯ感度スケールを提供するであろう。数が多いほど、光に対する画像センサの感度は高くなる。したがって、感度の増加は、結果として起こる、キャプチャされた画像の輝度の増加につながり、画像キャプチャデバイス上に表示されるＩＳＯ感度値を増加させることを伴う。これらの値は互いに相対的であるため、ＩＳＯ  ２００はＩＳＯ  １００の２倍の感度であり、ＩＳＯ  ８００はＩＳＯ  ２００の４倍の感度である。
【００１４】
さらに、画像キャプチャデバイスによってキャプチャされた画像に影響を与える変数は、画像キャプチャデバイスのこれらの属性だけでなく、画像センサに到達する光の量／強度（すなわち、画像面照度）に影響を与える他の外部ファクタ／条件も含む。特に、キャプチャされるべき画像は、従来の画像キャプチャデバイス上に直接かつ直感的には表示されない、シーン輝度（ＬＶ）（すなわち、シーンによって反射又は放射される光の強度）のような外部ファクタ／条件によって影響される。実際、シーン輝度の影響に対する配慮は、通常、光度計（light  meter）（内部又は外部）の使用によって写真撮影プロセスに組み込まれる。光度計は、シーン輝度の尺度を決定し、これを露出方程式への入力として使用して、ユーザに、絞りサイズ、シャッター速度及び画像キャプチャデバイスの感度についての推奨値を提供する。
【００１５】
したがって、従来の画像キャプチャデバイスが、キャプチャされるべき画像に影響を与える変数を表し、それらの変数に対するフィードバックを提供し、それらの変数のコントロールを提供する方法から生じる種々の問題がある。特に、「適正露出」を生じ、露出変数の結果として起こる二次効果である（画像センサの感度と正の相関を有する）粒度ブラーと、（露出時間と正の相関を有する）モーションブラーと、（絞りサイズと正の相関を有する）被写界深度／背景ブラーとの間のユーザの好ましいトレードオフを達成する画像変数を選択することを可能にするために、ユーザがかなりの理解と経験を有することに大きく依存するので、これらのファクタは、ユーザによる画像キャプチャデバイスのコントロールを複雑で直感的でないものにし、画像キャプチャプロセスの限られた効果的なコントロールしかユーザに提供しない。
【発明の概要】
【００１６】
したがって、種々の態様及び／又は実施形態は、画像キャプチャデバイスの属性に対するユーザの実質的に完全かつ直感的なコントロールを可能にする一方で、キャプチャされた画像が望ましくない露出／画像輝度を有することになるリスクを最小化することを追求することによって、改善された画像キャプチャプロセスを提供する画像キャプチャデバイスを含む、画像キャプチャデバイス又は複数のデバイス等のデバイスの操作方法を提供する。本明細書で説明される方法は、画像キャプチャデバイスのユーザに、各個々の画像変数及びキャプチャされる画像に対するそれらの組み合わされた影響に対する直感的なコントロール及びフィードバックを提供する。これらの方法はまた、画像キャプチャデバイスのようなデバイスのための周辺コントロール及び／又はディスプレイの使用を単純化すると共に、画像キャプチャデバイスのようなデバイスが、簡略化されたユーザコントロール及び単純化されたディスプレイを使用することも可能にする。
【００１７】
したがって、第１態様によれば、デバイスを操作するフィードバック及び制御方法が提供される。当該方法は：
複数の変数の各々を代表する値を決定するステップと；
表示コンポーネントを使用してディスプレイ上に変数の各々を表すステップであって、各表示コンポーネントの寸法（dimension）は、対応する変数を代表する値に比例し、変数の各々を表す表示コンポーネントは、値の合計が所定の定数（Ｘ）に等しいとき、実質的に隣接して配置される表示コンポーネントが、ディスプレイ上の原点（origin  point）とディスプレイ上の目標終点（target  end  point）との間に延在するように、実質的に隣接して配置される、ステップと；
上記の値のうち、変数の１つを代表する値を変更する入力を受け取り、対応する表示コンポーネントを、結果として調整する（consequentially  adjusting）ステップと；
を含む。
【００１８】
任意に、デバイスは、シーンの画像をキャプチャするように動作可能な画像キャプチャデバイスである。そのようなデバイスは、典型的に、本方法を使用して制御することに有利であり得る、一連の構成可能なオプションとともに供給される。
【００１９】
任意に、複数の変数のうちの１つ以上は、画像変数を含む。画像キャプチャデバイスが使用されている場合、画像変数の制御は有用な特徴である可能性が高い。
【００２０】
任意に、本明細書で開示される方法は、入力を受け取ることにより変更された画像変数を使用して画像をキャプチャすることを更に含む。画像変数、したがって、それに関連付けられる制御オプションは、キャプチャされている画像の対象に応じて変化する可能性がある。
【００２１】
任意に、キャプチャされた画像が（望ましいものとして選択された）目標画像輝度／明るさを有することを提供するために、所定の定数（Ｘ）には適切な値が与えられなければならない。
【００２２】
任意に、目標終点はディスプレイ上に示され、より好ましくは、目標終点は、更なる表示コンポーネントによってディスプレイ上に示される。
【００２３】
任意に、代表値の合計が所定の定数（Ｘ）より大きいとき、実質的に隣接して配置される表示コンポーネントは、目標の終点を越えて延び、所望により、代表値の合計が所定の定数（Ｘ）より小さいとき、実質的に隣接して配置される表示コンポーネントは、目標終点に到達しない。任意に、このような隣接した表示は、従来的に「ドーナツチャート」と呼ばれているものに表されてもよい。
【００２４】
任意に、表示コンポーネントは、ディスプレイによって示される対応して成形された要素（shaped  element）を含んでもよい。各表示コンポーネントは任意に、対応する画像変数を代表する値に比例する寸法が、表示コンポーネントの第１端部と第２端部との間に延在する形状を含み、表示コンポーネントは、画像変数のうちの１つに対応する表示要素の第１端部が、直前の表示コンポーネントの第２端部に隣接するように配置される。
【００２５】
任意に、表示コンポーネントの各々は、ディスプレイ上に示される円弧を含み、円弧の長さは、各画像変数を表す値に比例する。次いで、代表値の合計が所定の定数（Ｘ）に等しいとき、実質的に隣接して配置される表示コンポーネントは、円の円周の周りに延びてよい。
【００２６】
代替的に、表示コンポーネントの各々は、ディスプレイ上に示される線及び平行四辺形のいずれかを含んでもよく、線又は平行四辺形の長さは、各画像変数を代表する値に比例する。そして、代表値の合計が所定の定数（Ｘ）に等しいとき、実質的に隣接して配置される表示コンポーネントは、開始点からディスプレイ上に示される目標終点まで延びてよい。
【００２７】
任意に、本方法は、
変数のうちの１つを代表する値を変更する入力を受け取るステップと、
値の合計が所定の定数（Ｘ）に等しくなるように、１つ以上の他の変数を代表する１つ以上の他の値を、結果として調整するステップと、
調整された値の各々に対して、調整された画像変数に対応する表示コンポーネントを調整するステップと、
を更に含んでよい。
【００２８】
任意に、画像キャプチャデバイスの属性に関連する画像変数を表すように調整された値のいずれかに対して、調整された値に対応する画像キャプチャデバイスの表示コンポーネント及び属性の両方を調整する。
【００２９】
任意に、上記の値のうち、変数の１つを代表する値を変更する入力を受け取るステップは、上記の値のうち、変数の１つを代表する値を変更するユーザ入力を受け取ることと、結果として、対応する表示コンポーネントと画像キャプチャデバイスの対応する属性との両方を調整することとを含んでよい。
【００３０】
任意に、変数は、キャプチャされるべき画像の画像輝度／明るさに影響を与えるファクタを含んでもよい。これらのファクタは、画像キャプチャデバイスの属性と、シーンの輝度／明るさに影響する条件とを含んでもよい。
【００３１】
任意に、変数は、絞りサイズ（Ｄｒ）、シャッター速度（Ｔｒ）及び画像キャプチャデバイスの画像センサの感度（Ｓｒ）、並びにシーンのシーン輝度（Ｌｒ）を含んでもよい。任意に、変数は、フラッシュ強度（Ｆ）及び任意の中性濃度フィルタ（ＮＤ）の透過率／光学濃度を更に含んでもよい。
【００３２】
任意に、所定の定数（Ｘ）は、可視光の１０％〜２０％の反射率、好ましくは可視光の１２．５％〜１８％の反射率に相当する平均輝度を有する、キャプチャされた画像を得ることができる代表値の合計に対応してよい。
【００３３】
任意に、変数の各々を代表する値は各々、対応する変数と正に相関し得る。任意に、変数の各々を代表する値は、キャプチャされた画像の画像輝度と正に相関し得る。
【００３４】
任意に、本方法は、入力を受け取ることにより変更された１つ以上の現在の画像変数を使用して画像のキャプチャを開始するユーザ入力を更に受け取ることを含んでもよい。
【００３５】
任意に、複数の変数の各々を代表する値を決定するステップは、画像キャプチャデバイスの１つ以上の入力部の各々から初期値を取得するステップを含んでもよく、入力は、画像キャプチャデバイスのユーザコントロールと、外部デバイス接続部と、画像キャプチャデバイスのセンサとのうちの１つ以上から取得される。
【００３６】
任意で、表示コンポーネントを使用して視覚ディスプレイ上に画像変数の各々を表すステップは：
変数の各々について、画像キャプチャデバイスの電子視覚ディスプレイ上に対応する表示コンポーネントを生成すること；又は
変数の各々について、機械的ディスプレイに対応する表示コンポーネントを提供すること；
のいずれかを含んでよい。
【００３７】
第２態様によると、シーンの画像をキャプチャするために画像キャプチャデバイスを動作させる方法が提供され、当該方法は：
複数の画像変数の各々を表す値を決定するステップと；
表示コンポーネントを用いてディスプレイ上に画像変数を表すステップであって、各表示コンポーネントの寸法は、対応する画像変数の値に比例し、画像変数の各々を表す表示コンポーネントは、値の合計が所定の定数（Ｘ）に等しいとき、実質的に隣接して配置される表示コンポーネントがディスプレイ上の原点とディスプレイ上の目標終点との間に延在するように、実質的に隣接して配置される、ステップと；
値のうち、画像変数の１つを代表する値を変更する入力を受け取り、画像変数の合計が所定の定数（Ｘ）に等しくなるように、他の画像変数を代表する１つ以上の他の値を結果として調整し、調整された値の各々に対して、調整された画像変数に対応する表示コンポーネントを調整するステップと；
現在の画像変数を使用して画像をキャプチャするステップと；
を含む。
【００３８】
第３態様によると、プログラム可能なコンピュータによって解釈されると、コンピュータに任意の他の態様による方法を実行させる、コンピュータ解釈可能な命令を記憶するコンピュータ読取可能な媒体が提供される。
【００３９】
第４の態様によると、画像キャプチャデバイスを動作させるコンピュータ実施方法が提供され、当該方法は：
プロセッサを使用して、複数の画像変数の各々を表す値を決定するステップと；
プロセッサを使用して、表示コンポーネントを用いてディスプレイ上に画像変数を表すステップであって、各表示コンポーネントの寸法は、対応する画像変数の値と相関し、画像変数の各々を表す表示コンポーネントは、値の合計が所定の定数（Ｘ）に等しいとき、実質的に隣接して配置される表示コンポーネントがディスプレイ上の原点とディスプレイ上の目標終点との間に延在するように、実質的に隣接して配置される、ステップと；
値のうち、画像変数の１つを代表する値を変更する入力を受け取ると、プロセッサを使用して、対応する表示コンポーネントを結果として調整するステップと；
画像キャプチャデバイスの画像センサを使用して、現在の画像変数を用いて画像をキャプチャするステップと；
を含む。
【００４０】
第５の態様によると、画像キャプチャデバイスを動作させるコンピュータ実施方法が提供され、当該方法は：
プロセッサを使用して、複数の画像変数の各々を表す値を決定するステップと；
プロセッサを使用して、表示コンポーネントを用いてディスプレイ上に画像変数を表すステップであって、各表示コンポーネントの寸法は、対応する画像変数の値と相関し、画像変数の各々を表す表示コンポーネントは、値の合計が所定の定数（Ｘ）に等しいとき、実質的に隣接して配置される表示コンポーネントがディスプレイ上の原点とディスプレイ上の目標終点との間に延在するように、実質的に隣接して配置される、ステップと；
値のうち、画像変数の１つを代表する値を変更する入力を受け取ると、プロセッサを使用して、画像変数の合計が所定の定数（Ｘ）に等しくなるように、他の画像変数を代表する１つ以上の他の値を結果として調整し、調整された値の各々に対して、調整された画像変数に対応する表示コンポーネントを調整するステップと；
画像キャプチャデバイスの画像センサを使用して、現在の画像変数を用いて画像をキャプチャするステップと；
を含む。
【００４１】
「表示コンポーネント」への言及は、本明細書で開示される円構成の１つ以上の円弧を指すように解釈されてよい。いくつかの実施形態では、これらの円弧は、ユーザがタッチスクリーン上でタッチすることができる入力制御コンポーネントとしても機能し得る。
【００４２】
第６の態様によると、シーンの画像をキャプチャするように構成される画像キャプチャデバイスが提供される。画像キャプチャデバイスは、画像センサと、複数の入力部と、ディスプレイと、プロセッサとを備える。プロセッサは：
複数の画像変数の各々を表す値を決定し；
表示コンポーネントを使用してディスプレイ上に画像変数の各々を表し、ここで、各表示コンポーネントの寸法は、対応する画像変数の値に比例し、画像変数の各々を表す表示コンポーネントは、画像変数の合計が所定の定数（Ｘ）に等しいとき、実質的に隣接して配置される表示コンポーネントがディスプレイ上の原点とディスプレイ上の目標終点との間に延在するように、実質的に隣接して配置され；
値のうち、画像変数の１つを代表する値を変更する入力を受け取り、対応する表示コンポーネントを結果として調整し；
画像センサに、現在の画像変数を用いて画像をキャプチャさせる；
ように構成される。
【００４３】
第７の態様によると、シーンの画像をキャプチャするように構成された画像キャプチャデバイスが提供される。画像キャプチャデバイスは、画像センサと、複数の入力部と、ディスプレイと、プロセッサとを備える。プロセッサは：
複数の画像変数の各々を表す値を決定し；
表示コンポーネントを用いてディスプレイ上に画像変数を表し、ここで、各表示コンポーネントの寸法は、対応する画像変数の値と相関し、画像変数の各々を表す表示コンポーネントは、値の合計が所定の定数（Ｘ）に等しいとき、実質的に隣接して配置される表示コンポーネントがディスプレイ上の原点とディスプレイ上の目標終点との間に延在するように、実質的に隣接して配置され；
値のうち、画像変数の１つを代表する値を変更する入力を受け取り、画像変数の合計が所定の定数（Ｘ）に等しくなるように、他の画像変数を代表する１つ以上の他の値を結果として調整し、調整された値の各々に対して、調整された画像変数に対応する表示コンポーネントを調整し；
画像センサを使用して、現在の画像変数を用いて画像をキャプチャする；
ように構成される。
【００４４】
任意に、画像キャプチャデバイスの画像センサは、電子画像センサ（例えば電荷結合素子（ＣＣＤ）画像センサ又はアクティブピクセルセンサ（ＡＰＳ）／ＣＭＯＳ画像センサ）及び感光性材料（例えば写真フィルム）のいずれかを含んでもよい。
【００４５】
任意に、入力部は、画像キャプチャデバイスのユーザコントロールを含んでもよい。任意に、画像キャプチャデバイスのユーザコントロールは、タッチスクリーン、タッチパッド、音声ユーザインタフェース、ジェスチャ認識デバイス、動き感知デバイス及び手動操作式ユーザ入力デバイス（例えばボタン、ノブ、ホイール、スライダ及びスイッチ）のうちの１つ以上を含んでもよい。任意に、入力部は、外部デバイス接続部（connections）及び画像キャプチャデバイスのセンサのうちの１つ以上を更に含んでもよい。
【００４６】
任意に、ディスプレイは、電子視覚ディスプレイ及び機械的ディスプレイのいずれかを含んでもよい。
【００４７】
任意に、画像キャプチャデバイスは、写真カメラ、スマートフォン、顕微鏡、ビデオカメラ、仮想実施形態内の仮想カメラ、ウェアラブルカメラ及び／又はマルチ絞り計算カメラのいずれかであってもよい。
【００４８】
任意に、画像キャプチャデバイスは、画像センサを提供するカメラデバイス及びディスプレイと複数の入力部の１つ以上とを提供する周辺コントロールデバイスを含んでよく、周辺コントロールデバイス及びカメラデバイスは、互いに通信するように構成されている。そして任意に、プロセッサは、カメラデバイス及び周辺コントロールデバイスのいずれかによって提供されてもよい。
【００４９】
第８の態様によると、ユーザコントロールデバイスが提供される。ユーザコントロールデバイスは、デバイスと通信するように構成されるインタフェースと、複数の入力部と、ディスプレイと、プロセッサとを備える。プロセッサは、
複数の画像変数の各々を表す値を決定し；
表示コンポーネントを使用してディスプレイ上に画像変数の各々を表し、ここで、各表示コンポーネントの寸法は、対応する画像変数の値に比例し、画像変数の各々を表す表示コンポーネントは、画像変数の合計が所定の定数（Ｘ）に等しいとき、実質的に隣接して配置される表示コンポーネントがディスプレイ上の原点とディスプレイ上の目標終点との間に延在するように、実質的に隣接して配置され；
値のうち、画像変数の１つを代表する値を変更する入力を受け取り、対応する表示コンポーネントを結果として調整する；
ように構成される。
【００５０】
任意に、デバイスは、シーンの画像をキャプチャするように動作可能な画像キャプチャデバイスである。任意に、複数の変数の１つ以上は、本明細書に開示されるような理由のために、画像変数を含む。任意に、ユーザコントロールデバイスは、画像キャプチャデバイスを更に備える。
【００５１】
第９の態様によれば、画像キャプチャデバイスを制御するためのユーザコントロールデバイス（又はユーザコントロール可能デバイス）が提供される。ユーザコントロールデバイスは、画像キャプチャデバイスと通信するように構成されるインタフェース、複数の入力部、ディスプレイ及びプロセッサを含む。プロセッサは：
複数の画像変数の各々を表す値を決定し；
表示コンポーネントを用いてディスプレイ上に画像変数を表すことであって、各表示コンポーネントの寸法は、対応する画像変数の値と相関し、画像変数の各々を表す表示コンポーネントは、値の合計が所定の定数（Ｘ）に等しいとき、実質的に隣接して配置される表示コンポーネントがディスプレイ上の原点とディスプレイ上の目標終点との間に延在するように、実質的に隣接して配置され；
値のうち、画像変数の１つを代表する値を変更する入力を受け取り、画像変数の合計が所定の定数（Ｘ）に等しくなるように、他の画像変数を代表する１つ以上の他の値を結果として調整し、調整された値の各々に対して、調整された画像変数に対応する表示コンポーネントを調整し；
画像キャプチャデバイスに、現在の画像変数を用いて画像をキャプチャさせる；
ように構成される。
【００５２】
任意に、インタフェースは、無線トランシーバ及びハードウェアインタフェース接続のいずれかを含んでもよい。
【００５３】
任意に、複数の入力部は、ユーザコントロールデバイスのユーザコントロールを含んでもよい。任意に、ユーザコントロールデバイスのユーザコントロールは、タッチスクリーン、タッチパッド、音声ユーザインタフェース、ジェスチャ認識デバイス、動き感知デバイス及び手動操作式ユーザ入力デバイス（例えばボタン、ノブ、ホイール、スライダ及びスイッチ）のうちの１つ以上を含んでもよい。任意に、入力部は、画像キャプチャデバイスのセンサと、インタフェースを介してユーザコントロールデバイスと通信する出力部の１つ以上を更に含んでもよい。
【００５４】
別の態様によると、１つ以上の変数を有するデバイスを制御するための方法が提供され、当該方法は、１つ以上の変数をドーナツチャート内の１つ以上のセグメントとして表すステップであって、各セグメントは、ドーナツチャートの周囲に沿った開始点及び終点を有するステップと、ドーナツチャートを表示するステップと、ユーザ入力を受け取って、１つ以上のセグメントのうちの少なくとも１つの開始点及び／又は終点を調整するステップと、１つ以上のセグメントの各々の調整された開始点及び／又は終点に従って１つ以上の変数を調整するステップとを含み、１つ以上のセグメントの各々は、１つ以上のセグメントのうちの隣接するセグメントと重なるように調整され得る。
【００５５】
ドーナツチャートを提供することによって、変数の合計に対して提案される合計値（suggested  total  value）は、３６０度を超えて表現されることができ、その結果、ドーナツチャートのセグメントは、変数の総和がこの提案された合計値を超える場合、隣接するセグメントと重なることができる。変数の和がこの提案された合計値よりも小さい場合、ドーナツチャートは、セグメントの少なくとも２つの間にギャップを有するように示され得る。ユーザは、ドーナツチャートの周囲に沿ってそのサイズを縮小又は増大させるように、セグメントの各「端」を調整し、これにより、セグメントをオーバーラップさせ、２つのセグメント間のギャップを開くか又は隣接するセグメントのエッジが、提案された合計値に到達するようにすることができる。セグメントサイズを調整することにより、それぞれのセグメントによって表されるデバイスの基礎となる変数を変更することができ、したがって、ドーナツチャートを使用してフィードバックを提供する装置のための制御方法を提供する。
【図面の簡単な説明】
【００５６】
実施形態は、単なる例示として添付の図面を参照してより具体的に説明される：
【図１】従来の画像キャプチャデバイスを概略的に示す図である。
【図２】本明細書で説明される画像キャプチャデバイスの操作方法を示すフロー図である。
【図３】画像キャプチャの半自動モードを実装するステップを更に含む、本明細書で説明される画像キャプチャデバイスの操作方法の好ましい実施形態を示すフロー図である。
【図４】表示コンポーネントを使用して、ディスプレイ上の画像変数の各々を表現するステップの一実施形態を示すフロー図である。
【図５】対応する代表値の変化を反映するように、表示コンポーネントの寸法を結果的に調整するステップの一実施形態を示すフロー図である。
【図６ａ】表示コンポーネントの各々が円弧を備える例示的な実施形態を示す図である。
【図６ｂ】表示コンポーネントの各々が円弧を備える例示的な実施形態を示す図である。
【図６ｃ】表示コンポーネントの各々が円弧を備える例示的な実施形態を示す図である。
【図６ｄ】表示コンポーネントの各々が円弧を備える例示的な実施形態を示す図である。
【図６ｅ】表示コンポーネントの各々が円弧を備える例示的な実施形態を示す図である。
【図６ｆ】表示コンポーネントの各々が円弧を備える例示的な実施形態を示す図である。
【図６ｊ】表示コンポーネントの各々が円弧を備える例示的な実施形態を示す図である。
【図７ａ】表示コンポーネントの各々が平行四辺形の例示的な実施形態を示す図である。
【図７ｂ】表示コンポーネントの各々が平行四辺形の例示的な実施形態を示す図である。
【図７ｃ】表示コンポーネントの各々が平行四辺形の例示的な実施形態を示す図である。
【図７ｄ】表示コンポーネントの各々が平行四辺形の例示的な実施形態を示す図である。
【図８】本明細書で説明される方法を実施するのに適した画像キャプチャデバイスの実施形態を概略的に示す図である。
【図９】デジタルカメラの一体コンポーネントとして提供される電子視覚ディスプレイ及びタッチコントロールを含むディスプレイの実施形態を概略的に示す図である。
【図１０】デジタルカメラの一体コンポーネントとして提供される電子視覚ディスプレイを含むディスプレイの更なる実施形態を概略的に示す図である。
【図１１】機械的ディスプレイを含むディスプレイの実施形態を概略的に示す図である。
【図１２】ウェアラブル画像キャプチャデバイスの操作方法を示す図である。
【図１３】異なる変数値の範囲を使用する一連の画像を示す図である。
【発明を実施するための形態】
【００５７】
上記で特定された問題を少なくとも緩和するために、シーンの画像をキャプチャする画像キャプチャデバイスのようなデバイスの操作方法がここで説明される。具体的には、説明される実施形態は、画像キャプチャデバイスに関し、ここで、シーンは、画像キャプチャデバイスの視野内にあるオブジェクトを含む。デバイスの操作方法は、わずかな実装変更で他のタイプのデバイスにも適用可能であり、いくつかの更なる例示的なデバイスが、以下で更に説明される。
【００５８】
図２は、一実施形態による画像キャプチャデバイスの操作方法を示すフロー図である。この方法は、複数の画像変数の各々を代表する値を決定することと（１１０）、表示コンポーネントを用いてディスプレイ上に画像変数の各々を表現すること（１２０）を含み、ここで各表示コンポーネントの寸法は、対応する画像変数を代表する値に比例し、画像変数の各々を表現する表示コンポーネントは、実質的に隣接して配置される。表示コンポーネントの配置は、画像変数の各々に対応する代表値の合計が所定の定数（Ｘ）に等しいとき、表示コンポーネントが、ディスプレイ上の原点とディスプレイ上の目標終点との間に延在するようになるものである。
【００５９】
次に、上記の値のうち、画像変数の１つを代表する値を変更する入力を受け取ると（１３０）、その変更を反映するように、その値に比例する対応する表示コンポーネントの寸法が結果として調整される（１４０）。対応する画像変数の代表値の変更に応答して表示コンポーネントを調整するこのプロセスは、画像キャプチャが開始される時点まで繰り返され得る。次いで、画像キャプチャがその後開始されると（１６０）、現在の画像変数を使用して画像がキャプチャされる（１７０）。
【００６０】
この実施形態では、所定の定数（Ｘ）の値は、目標画像輝度／明るさに対応する。例として、いくつかの実施形態では、所定の定数（Ｘ）は、可視光の１０％〜２０％の反射率、好ましくは可視光の１２．５％〜１８％の反射率に等しい目標画像輝度に対応するように構成され得る。したがって、実質的に隣接して配置される表示コンポーネントが、ディスプレイ上の原点とディスプレイ上の目標終点との間に延在するとき、これは、現在の画像変数が、目標画像輝度／明るさを有するキャプチャされた画像をもたらすことを示す。これは、画像変数の各々を代表する値が、キャプチャされた画像の画像輝度と正の相関性を有する（すなわち、代表値の増加が画像輝度の増加に対応し、代表値の減少が画像輝度の減少に対応する）ように配置され得る。
【００６１】
したがって、画像変数は、キャプチャされる画像の画像輝度／明るさに影響を与える任意のファクタを含むことができ、よって、画像キャプチャデバイスの属性及びシーン輝度／明るさに影響する任意の条件を含むことになる。したがって、画像変数は典型的に、少なくとも、画像キャプチャデバイスの絞りサイズ（Ｄ）、シャッター速度（Ｔ）及び画像センサ感度（Ｓ）と、シーンのシーン輝度（ＬＶ）を含むことになる。
【００６２】
この点に関し、絞りサイズ（Ｄ）、シャッター速度（Ｔ）及び感度（Ｓ）は、これらの画像変数のいずれか１つを変更する入力が、画像キャプチャデバイスのユーザコントロールを使用して行われるユーザ入力であり得るように、画像キャプチャデバイスのすべての属性である。これらのユーザコントロールは、画像キャプチャデバイス自体に設けることができ、あるいは画像キャプチャデバイスと通信する外部デバイスに設けられてもよい。例えばユーザコントロールは、有線又は無線接続のいずれかを使用して画像キャプチャデバイスと通信する別個のコンピュータデバイス（例えばスマートフォン、タブレットコンピュータ、スマートウォッチ等）に設けられてよい。
【００６３】
対照的に、シーン輝度（ＬＶ）は、画像キャプチャデバイスのコントロールを使用して直接変更することができない、シーンを取り巻く環境の条件である。したがって、シーン輝度（ＬＶ）は、光センサによって行われた測定から決定されることになる。このセンサは、画像キャプチャデバイスの一部として設けることができるが、有線又は無線接続のいずれかを使用して画像キャプチャデバイスと通信する外部光度計によって提供されてもよい。シーン輝度は、従来的に、例えばカメラ又はスマートフォンカメラ上のフラッシュによって、かつ／又は顕微鏡上のランプによって間接的に制御され得ることが理解される。
【００６４】
画像変数はまた、いずれかの適用されたフラッシュのフラッシュ強度（Ｆ）及び／又はいずれかの中性濃度フィルタ（ＮＤ）の透過率／光学濃度のようなユーザコントロールされる照明を更に含むこともある。フラッシュは、画像キャプチャデバイスの一部として提供される内部フラッシュユニットによって又は外部フラッシュユニットによって提供され得る。したがって、フラッシュ強度（Ｆ）は、画像キャプチャデバイスの属性とシーン輝度に影響する条件との一方又は両方であると考えられ得る。同様に、中性濃度フィルタは、画像キャプチャデバイスの一体部分として又は画像キャプチャデバイスに取り付けられる別個のアクセサリによって提供され得る。したがって、任意の中性濃度フィルタの透過率／光学濃度は、画像キャプチャデバイスの属性及びシーン輝度に影響する条件の一方又は両方であると考えられ得る。
【００６５】
したがって、図２に示すように、入力が、画像キャプチャデバイスの属性に関連付けられる画像変数を代表する代表値を変更する場合、次いで、画像変数の変更を反映するように、調整される値に対応する画像キャプチャデバイスの属性も、結果として調整される（１５０）。
【００６６】
図３は、画像キャプチャの半自動モードを実装するステップを更に含む、上述のような画像キャプチャデバイスの操作方法の一実施形態を示すフロー図である。この実施形態では、方法は、画像変数の１つを代表する値を変更する入力を受け取った後（１３０）、値の合計が所定の定数（Ｘ）に等しくなるように、他の画像変数を代表する１つ以上の他の値を、結果として調整するステップを更に含む（１３５）。次いで、調整された値の各々について、変更を反映するように、値に比例する対応する表示コンポーネントの寸法が、結果として調整される（１４５）。
【００６７】
結果として調整され、画像キャプチャデバイスの属性に関連付けられる画像変数を代表する１つ以上の他の値の各々について、調整された値に対応する画像キャプチャデバイスの属性も、画像変数の変更を反映するように、結果として調整される（１５５）。次いで、その後画像キャプチャが開始されるときに（１６０）、現在の画像変数を使用して画像がキャプチャされる（１７０）。
【００６８】
上述のように、表示コンポーネントは、各画像変数に対応する代表値の合計が所定の定数（Ｘ）に等しいとき、表示コンポーネントがディスプレイ上の原点とディスプレイ上の目標終点との間に延在するように配置される。したがって、代表値の合計が所定の定数（Ｘ）より大きいとき、実質的に隣接して配置される表示コンポーネントは、目標終点を越えて延び、代表値の合計が所定の定数（Ｘ）より小さいとき、実質的に隣接して配置される表示コンポーネントは、目標終点に到達しない。
【００６９】
いくつかの実施形態では、表示コンポーネントは、ディスプレイによって示される、対応する形状の要素を含む。いくつかの実施形態では、各表示コンポーネントは、対応する画像変数を代表する値に比例する寸法が、表示コンポーネントの第１端部と第２端部との間に延在する、ディスプレイ上に示される形状を含む。表示コンポーネントの実質的に隣接する配置は、画像変数のうちの１つの画像変数に対応する表示要素の第１端部が、直前の表示コンポーネントの第２端部に隣接していることを要する。
【００７０】
図４は、表示コンポーネント（１２０）を使用して、ディスプレイ上で画像変数の各々を表すステップの一実施形態を示すフロー図である。この実施形態では、本方法のこのステップは、第１表示コンポーネントについて、該表示コンポーネントの第１端部を原点に配置し、該表示コンポーネントの寸法を、対応する画像変数の代表値に比例させるステップ（１２１）を更に含む。次に、直後の表示コンポーネントについて、該後続の表示コンポーネントの第１端部を第１表示コンポーネントの第２端部に隣接して配置し、該後続の表示コンポーネントの寸法を、対応する画像変数の代表値に比例させる（１２２）。このプロセスは、次いで、適用可能な画像変数を表す表示コンポーネントのすべてについて繰り返される（１２３）。したがって、次の直後の表示コンポーネントについて、該後続の表示コンポーネントの第１端部が、直前の表示コンポーネントの第２端部に隣接して配置され、該後続の表示コンポーネントの寸法は、対応する画像変数の代表値に比例するようにされる（１２２）。
【００７１】
図５は、対応する代表値における変更を反映するように、表示コンポーネントの寸法を結果的に調整するステップ（１４０、１４５）の一実施形態を示すフロー図である。この実施形態では、本方法のこのステップは、変更された画像変数について、対応する表示コンポーネントの寸法を、変更された画像変数の代表値に比例するように調整するステップ（１４１）を更に含む。次いで、直後の表示コンポーネントについて、第１端部が直前の表示コンポーネントの第２端部に隣接するように、後続の表示コンポーネントを位置変更する（１４２）。このプロセスは、次いで、後続の表示コンポーネントのすべて（すなわち、変更された画像変数に対応する表示コンポーネントの後に続く、これらの表示コンポーネントのすべて）に対して繰り返される（１４３）。
【００７２】
いくつかの実施形態では、表示コンポーネントの各々は、ディスプレイ上に示される円弧を含み、弧の長さは、各画像変数を代表する値に比例する。そのような実施形態では、代表値の合計が所定の定数（Ｘ）に等しいとき、実質的に隣接して配置される表示コンポーネントは円の周囲に延び、少なくとも部分的に円のおおよその形を完成させることができる。例えば図６ａ〜図６ｊは、表示コンポーネント（３１１、３１２、３１３、３１４）の各々が円弧を含み、各円弧の長さ（ｌａ）が、対応する画像変数を代表する値に比例する例示の実施形態を示す。図６ａ、図６ｅ及び図６ｇは、実質的に隣接して配置される表示コンポーネントが原点（３１５）から目標終点（３１６）まで延びてそれらが円を形成するように、代表値の合計が所定の定数（Ｘ）に等しい例を示す。対照的に、図６ｂ、図６ｃ、図６ｄ、図６ｆ、図６ｈ、図６ｉ及び６ｊは、実質的に隣接して配置される表示コンポーネントが円の周囲に延びるが、目標終点（３１６）には到達しないか又は目標終点を越えて延びるように、代表値の合計が所定の定数（Ｘ）より小さいか又はより大きい例を示す。代表値の１つ以上が負の値であってもよく、したがって、負の表示コンポーネントが示されてもよい。
【００７３】
上述したように、図６ａ〜図６ｊでは、表示コンポーネント（３１１、３１２、３１３、３１４）は、円の周りに延びるように隣接して配置された。そうするために、第１表示コンポーネント（３１１）の第１端部（３１１ａ）は、原点（３１５）に配置される。次いで、第１表示コンポーネント（３１１）の寸法（すなわち、円弧長ｌａ１）は、対応する画像変数の代表値に比例するように構成される。次に、第２表示コンポーネント（３１２）の第１端部（３１２ａ）が、第１表示コンポーネント（３１１）の第２端部（３１１ｂ）に隣接して配置される。代表値に比例する各表示コンポーネントの寸法は、表示コンポーネントの第１端部と表示コンポーネントの第２端部との間に延在する寸法である。次いで、第２表示コンポーネント（３１２）の寸法（すなわち、円弧長ｌａ２）は、対応する画像変数の代表値に比例するように構成される。次いで、この配置は、第３及び第４表示コンポーネント（３１３、３１４）の各々について継続する。
【００７４】
図６ａ及び図６ｃの例では、代表値の合計が所定の定数（Ｘ）に等しく、第４及び最終表示コンポーネント（３１４）の第２端部（３１４ｂ）は、表示コンポーネントが円を形成するように、目標終点（３１６）に到達する／配置される。図６ｂ及び図６ｄの例では、代表値の合計が所定の定数（Ｘ）より小さく、第４及び最終表示コンポーネント（３１４）の第２端部（３１４ｂ）は、目標終点（３１６）に到達しない。したがって、隣接して配置される表示コンポーネントは、円の周囲の一部の周りに延在する。
【００７５】
図６ａ〜図６ｊに示される例では、シーン輝度（ＬＶ）を代表する値は、円弧（３１１）を使用して表示される。円弧（３１１）は、他の画像変数を表示するそれらの円弧から実質上オフセットされる。このオフセットは、他の円弧に対して円弧（３１１）の半径を減少させることによって達成される。しかしながら、このオフセットは、他の円弧に対して円弧（３１１）の半径を増加させることによっても等しく達成され得る。いずれの場合も、円弧は依然として、シーン輝度を表す円弧（３１１）の第２端部（３１１ｂ）が次の円弧（３１２）の第１端部（３１２ａ）に隣接し、隣接して配置される表示コンポーネントによって画定される経路が明らかに円であるように配置される。シーン輝度の代表値を表示する円弧（３１１）のこのオフセットは、常に存在してもよく、あるいは、画像コンポーネントが目標Ｘよりも大きな値に合計される事象の際（例えば図６ｃ）にのみ発生してもよい。シーン輝度の代表値を表示する円弧（３１１）のこのオフセットは、いくつかの実施形態において追加的に、画像キャプチャデバイスのユーザに、これが、画像キャプチャデバイスの属性ではなく、したがって、ユーザの直接制御下にはない画像変数であることを示すことができる。
【００７６】
さらに、他の円弧が互いにオフセットされることも可能である。例えばこれは、変数の合計が所定の定数（Ｘ）より大きく、実質的に隣接して配置される表示コンポーネントが目標終点を越えて延びるような状況において望ましい。この場合、円弧のオフセットは、互いの上に重なることなく、円弧が目標の終点を越えて延びることを可能にし、それにより、変数の合計が、所定の定数（Ｘ）（例えば目標画像の輝度／明るさに対応する）より大きい程度をユーザに明確に示す。
【００７７】
更なる例示的な実施形態では、表示コンポーネントの各々は、ディスプレイ上に示される線及び平行四辺形のいずれかを含み、線又は平行四辺形の長さは、次に、各画像変数を代表する値に比例する。例えば図７ａ〜図７ｄは、表示コンポーネント（４１１、４１２、４１３、４１４）の各々が矩形を含み、矩形の長さは、対応する画像変数を代表する値に比例する実施例を示す。図７ａ〜図７ｄは、実質的に隣接して配置される表示コンポーネント（４１１、４１２、４１３、４１４）が、原点（４１５）から所定の線形経路に沿って目標終点（４１６）まで延びるように、代表値の合計が所定の定数（Ｘ）に等しい例を示す。
【００７８】
いくつかの実施形態において、目標終点は、ディスプレイ上に明示的に示される。特に、目標終点は、更なる表示コンポーネントによってディスプレイ上に明示的に示されるであろう。例えば図７ｄでは、目標終点（４１６）は、目標終点に隣接して位置する三角形を含む、更なる表示コンポーネント（４１７）によって明示的に示される。
【００７９】
上述したように、図７ａ〜図７ｄでは、表示コンポーネント（４１１、４１２、４１３、４１４）は、所定の線形経路に沿って原点（４１５）から目標終点（４１６）まで延びる。そうするために、第１表示コンポーネント（４１１）の第１端部（４１１ａ）は、原点（４１５）に配置される。次いで、第１表示コンポーネント（４１１）の寸法（すなわち、長さｌＬ１）は、対応する画像変数の代表値に比例するように構成される。次に、第２表示コンポーネント（４１２）の第１端部（４１２ａ）が、第１表示コンポーネント（４１１）の第２端部（４１１ｂ）に隣接して配置される。代表値に比例する各表示コンポーネントの寸法は、表示コンポーネントの第１端部と表示コンポーネントの第２端部との間に延在する寸法である。次いで、第２表示コンポーネント（４１２）の寸法（すなわち、長さｌＬ２）が、対応する画像変数の代表値に比例するように構成される。次いで、この配置は、第３及び第４表示コンポーネント（４１３、４１４）の各々について継続する。
【００８０】
図８は、本明細書で説明される方法を実装するのに適した画像キャプチャデバイス（２００）の実施形態を概略的に示す。画像キャプチャデバイス（２００）は、典型的に、ハードウェアコンポーネントとソフトウェアの組合せとして実装され、メモリ（２０１）、プロセッサ（２０２）、ディスプレイ（２０３）、画像センサ（２０４）、シャッター機構（２０５）、絞り機構（２０６）及び複数のユーザコントロール（２０７）を含む。任意に、画像キャプチャデバイス（２００）は、光度計（２０８）及び／又は無線トランシーバ（２０９）及び／又はハードウェアインタフェース接続（２１０）を更に含んでもよい。加えて、画像キャプチャデバイス（２００）に、ユーザにオーディオ及び／又は触覚フィードバックを提供する手段も設けることができる。
【００８１】
メモリ（２０１）は、典型的に、プロセッサ（２０２）によって実装される種々のプログラム／実行可能ファイル、並びにデバイス（２００）にとって有用であり得る任意の他のデータを格納する。特に、メモリ（２０１）は、所定の定数（Ｘ）の値を格納することになる。
【００８２】
プロセッサ（２０２）は、プログラム／実行可能ファイルのうちの一方の形態でメモリ（２０１）に格納されるコンピュータ解釈可能な命令に従って、上述の方法を実行するのに必要な処理を実行するように構成される。特に、プロセッサ（２０２）は：
ｉ．  複数の画像変数の各々を代表する値を決定するステップと、
ｉｉ．  表示コンポーネントを使用してディスプレイ上に画像変数の各々を表すステップであって、各表示コンポーネントの寸法は、対応する画像変数の値に比例し、画像変数の各々を表す表示コンポーネントは、画像変数の合計が所定の定数（Ｘ）に等しいときに、実質的に隣接して配置される表示コンポーネントが、ディスプレイ上の原点とディスプレイ上の目標終点との間に延在するように、実質的に隣接して配置される、ステップと、
ｉｉｉ．  上記の値うち、画像変数の１つを代表する値を変更する入力を受け取ると、対応する表示コンポーネントを結果的に調整するステップと、
ｉｖ．  画像センサに、現在の画像変数を使用して画像をキャプチャさせるステップと、
を実行するように構成される。
【００８３】
加えて、プロセッサ（２０２）は、上述のように、画像キャプチャの半自動モードを実装するように構成されてもよい。特に、プロセッサ（２０２）は：
ｉｉｉ．  画像変数の１つを代表する値を変更する入力を受け取った後、値の合計が所定の定数（Ｘ）に等しくなるように、他の画像変数を代表する１つ以上の他の値を結果的に調整するステップと、
ｉｖ．  調整された値の各々について、値に比例する対応する表示コンポーネントの寸法を結果的に調整して、変更を反映するステップと、
ｖ．  現在の画像変数を使用して画像センサに画像をキャプチャさせるステップと、
を実行するように更に構成されるであろう。
【００８４】
ディスプレイ（２０３）は、実質的に隣接して配置される表示コンポーネントを表示するように構成され、電子視覚ディスプレイ及び機械的ディスプレイのいずれかを含むことができる。
【００８５】
一例として、図９及び図１０は、ディスプレイがデジタルカメラの一体コンポーネントとして提供される電子視覚ディスプレイを含む実施形態を概略的に示す。特に、図９の実施形態では、ディスプレイは、デジタルカメラの裏面に設けられたスクリーンによって提供される。図１０の実施形態では、ディスプレイは、絞りサイズ（Ｄ）、シャッター速度（Ｔ）及び感度（Ｓ）の各々についてユーザコントロールを提供するコントロールホイールに隣接して、デジタルカメラの上面に配置される別個の電子視覚ディスプレイによって提供される。加えて、あるいは図９及び図１０に示される実施形態の代替として、ディスプレイは、画像キャプチャデバイスのビューファインダによって提供され得る。
【００８６】
代替的な例として、図１１は、機械的ディスプレイを含むディスプレイの実施形態を概略的に示す。特に、図１１の実施形態では、ディスプレイは、ホイールチャート又はボルベル（volvelle）の形態で提供される。この例示的なホイールチャート・ディスプレイは、画像変数ごとに部分ホイールを含み、ホイールは、中心に整列されて連続的に積み重ねられ、ホイールは、共通の軸の周りで互いに対して回転可能である。変数に使用される代表値は、別の部分ホイールの重複部分によってカバーされない各部分ホイールの部分が、各画像変数の現在選択されている値を表示することができるように、対応する部分ホイールの周囲に提供される。更なる例として、類似の機械的ディスプレイは、線形スライドチャートによって提供されることがあり、線形スライドチャートでは、ディスプレイは、画像変数ごとに線形ストリップを含み、ストリップは、長手方向に整列されて部分的に重なり、ストリップは、互いに対して長手方向に移動可能である。図１３は、デジタル設定における図１１の実施形態を更に例示する。
【００８７】
画像キャプチャデバイス（２００）の画像センサ（２０４）は、キャプチャされる画像を構成する光を検出するように構成される。例えば画像センサ（２０４）は、電子画像センサ（例えば電荷結合素子（ＣＣＤ）画像センサ又はアクティブピクセルセンサ（ＡＰＳ）／ＣＭＯＳ画像センサ）及び感光性材料（例えば写真フィルム）のいずれかを含んでもよい。
【００８８】
シャッター機構（２０５）は、光が画像キャプチャデバイス（２００）に入って画像センサ（２０４）に到達することができる時間の長さを制御するように構成される。したがって、シャッター機構（２０５）は、従来の画像キャプチャデバイスに見られるような従来のシャッター機構を含んでもよい。例えばシャッター機構（２０５）は、光が画像センサ（２０４）に到達することを阻止する、画像センサ（２０４）の前に配置される１つ以上の不透明なカーテン又はリーフと、画像キャプチャが開始された後には画像センサ（２０４）を露出させるよう、カーテン又はリーフを移動させる１つ以上のアクチュエータとを含んでもよい。あるいは、機械的シャッター機構の機能をエミュレートするように電子画像センサを構成することもできる。
【００８９】
絞り機構（２０６）は、画像キャプチャデバイスのレンズを通過する光の量を調節するように構成され、被写界深度を制御する。したがって、絞り機構（２０６）は、従来の画像キャプチャデバイスに見られるような従来の絞り機構を含むことができる。例えば絞り機構（２０６）は、可変直径の絞りを画定する光ダイヤフラムを含むことができる。
【００９０】
ユーザコントロール（２０７）は、ユーザが画像キャプチャデバイスの属性を制御することを可能にし、画像のキャプチャを開始し、一般にユーザが画像キャプチャデバイスと対話することを可能にするように構成される。したがって、ユーザコントロール（２０７）は、タッチスクリーン、タッチパッド、音声ユーザインタフェース、ジェスチャ認識デバイス、モーション感知デバイス及び手動操作式ユーザ入力デバイス（例えばボタン、ノブ、ホイール、スライダ及びスイッチ）のうちの１つ以上を含むことができる。このようなジェスチャ認識デバイスの使用を図１２に示す。
【００９１】
いくつかの実施形態では、ユーザコントロール（２０７）は、画像キャプチャデバイスの絞りサイズ（Ｄ）、シャッター速度（Ｔ）及び感度（Ｓ）の各々を表す値をユーザが制御／変更することを可能にするタッチスクリーンを含む。そのような実施形態では、タッチスクリーンは、ユーザがタッチスクリーン上に表示された対応する表示要素にタッチすることによって画像キャプチャデバイスの属性を制御することができるように、ユーザコントロール（２０７）とディスプレイ２０３の両方の機能を提供することが好ましい。
【００９２】
別の実施形態では、ユーザコントロール（２０７）は、３つの回転可能なノブ／ホイールを含み、各ノブ／ホイールは、画像キャプチャデバイスの絞りサイズ（Ｄ）、シャッター速度（Ｔ）及び感度（Ｓ）のうちの１つを表す値を制御／変更するために使用することができる。例えば図１０に図示される実施形態では、３つの回転可能なノブ／ホイールは、画像キャプチャデバイス（２００）の一端に位置するハンドグリップに隣接して配置され、３つの回転可能なノブ／ホイールは、画像キャプチャデバイス（２００）を手のひらに位置するグリップで保持しているユーザの親指又は人差し指によって、これらのノブ／ホイールの各々を容易に操作することができるように配置される。この実施形態は、ユーザが、画像キャプチャデバイスを片手又は両手で保持しながら、画像キャプチャデバイスの絞りサイズ（Ｄ）、シャッター速度（Ｔ）及び感度（Ｓ）の各々の値を容易に制御／調整することができるようにする。
【００９３】
存在する場合、光度計（２０８）は、シーンによって反射された光を測定することによって、シーン輝度（Ｌｖ）の値を決定するように構成される。したがって、光度計（２０８）は、従来の画像キャプチャデバイスに見られるような従来の光度計を含むことができる。例えば光度計（２０８）は、シーン輝度の尺度として、検出される光の平均輝度に比例する出力を提供する光検出器を備えることができる。
【００９４】
存在する場合、トランシーバ（２０９）は、情報を無線で送受信するように構成されるであろう。したがって、トランシーバ（２０９）は、外部／周辺コントロールデバイス（２１１）及び／又は外部／周辺センサデバイス（２１２）と通信するために使用され得る。例えばトランシーバ（２０９）を使用して、画像キャプチャデバイス（２００）のために周辺ディスプレイ及び／又はユーザコントロールのセットを提供するコンピュータデバイス（例えばスマートフォン、タブレットコンピュータ、スマートウォッチ、スマートグラス等）と通信することができる。あるいはまた、トランシーバ（２０９）を使用して、周辺光度計と通信してもよい。
【００９５】
存在する場合、ハードウェアインタフェース接続（２１０）は、有線接続を介して送受信するように構成されるであろう。したがって、ハードウェアインタフェース接続２１０を使用して、外部／周辺コントロールデバイス（２１１）及び／又は外部／周辺センサデバイス（２１２）と通信することができる。例えばハードウェアインタフェース接続（２１０）は、外部／周辺コントロールデバイス（２１１）及び／又は外部／周辺センサデバイス（２１２）がケーブルを介して接続されることを可能にするユニバーサルシリアルバス（ＵＳＢ）又は他の規格のコネクタの形態をとることができる。次いで、ハードウェアインタフェース接続（２１０）を使用して、画像キャプチャデバイス（２００）のための周辺ディスプレイ及び／又はユーザコントロールのセットを提供するコンピュータデバイス（例えばスマートフォン、タブレットコンピュータ、スマートウォッチ等）と通信することができる。あるいはまた、ハードウェアインタフェース接続（２１０）を使用して、周辺光度計と通信することができる。
【００９６】
具体例
上述したように、画像変数はすべて、画像センサに到達する光の量又は画像センサの感度に影響する。その結果、画像変数はすべて、キャプチャされる画像の輝度／明るさに影響することになる。したがって、上述の方法は、画像変数の各々を表す値について適切な定義を選択することによって、代表値の合計が特定の画像輝度／明るさに対応する定数に等しくなるという、これらの代表値の間の関係を定義することが可能であることを認識している。特に、各代表値が、対応する画像変数と正の相関性を有し、したがって、キャプチャされる画像の画像輝度とも正の相関性を有する代表値を使用することによって、これらの代表値の合計は、キャプチャされる画像の画像輝度を代表することになり、したがって、目標画像の輝度／明るさに対応する所定の定数（Ｘ）と比較することができる。そして、これらの値及び画像輝度／明るさに対するそれらの関係を使用して上述の画像キャプチャ方法を実装し、画像キャプチャデバイスのユーザに、改善されたコントロールと改善されたフィードバックの両方を提供することができる。
【００９７】
したがって、画像変数と、目標画像の輝度／明るさに対応する所定の定数（Ｘ）との間のこの関係は、次のように表すことができる：
Ｌｒ＋Ａｒ＋Ｓｒ＋Ｔｒ＝Ｘ            式１
ここで、Ｌｒはシーン輝度（ＬＶ）を代表する値であり、Ａｒは絞りサイズ（Ｄ）を代表する値であり、Ｓｒは感度（Ｓ）を代表する値であり、Ｔｒはシャッター速度／露出時間（Ｔ）を代表する値である。
【００９８】
以下は、画像変数の各々についての代表値と、典型的には適正と考えられる露出に関連付けられる目標画像の輝度／明るさに対応する所定の定数（Ｘ）についての対応する値を導出するための例示的な式を提供する。
【００９９】
この具体的な例では、Ｌｒは、次の式により、カンデラ／ｍ２で与えられる、計測されたシーン輝度（ＬＶ）から導出される：
Ｌｒ＝８＋ｌｏｇ２（Ｌｖ／０．３Ｋ）            式２
ここで、Ｋは反射光計測定数であり、通常、ほとんどのカメラ製造業者では１２．５となるように取られている。
【０１００】
Ａｒは、次の式により、ミリメートル（ｍｍ）で与えられる絞りの直径（Ｄ）から導出される：
Ａｒ＝９−２ｌｏｇ２（ｆ／Ｄ）            式３
ここで、ｆはレンズの焦点距離である。
【０１０１】
Ｓｒは、次の式により、画像センサの感度（Ｓ）についての対応するＩＳＯ等級から導出される：
Ｓｒ＝ｌｏｇ２（ＩＳＯ／３．１２５）−５            式４ａ
（あるいは、Ｓｒ＝ｌｏｇ２（Ｓ／３．１２５）−５            式４ｂ  とも示される）
【０１０２】
Ｔｒは、次の式により、秒単位の露出時間（ｔ）から導出される：
Ｔｒ＝１２＋ｌｏｇ２（ｔ）            式５
【０１０３】
これらの式を用いて導出された代表値を用いるとき、所定の定数（Ｘ）に対する適切な値は２４である。この例では、２４という値は、可視光における約１２％の反射率に相当する平均輝度を有するキャプチャされた画像を生じさせる代表値の合計に対応し、これは多くの場合、典型的に適正と考えられる露出に関連付けられる。しかしながら、所定の定数（Ｘ）の値は、可視光の１２％〜１８％の反射率に対応することが好ましいが、１０％〜２０％に相当する平均輝度を有するキャプチャされた画像を生じる代表値の合計に対応する所定の定数（Ｘ）の値は、適正露出とみなされてよい。この点に関し、従来的に１８％は「適正露出」に対応するものとして伝えられてきたが、ほとんどの製造業者は１２％又は１２．５％の値を使用している。
【０１０４】
次いで、これらの代表値及び２４という所定の定数（Ｘ）を表示するために、上述のディスプレイ及び表示コンポーネントを提供することは複雑ではない。具体的には、一実施形態において、これらの代表値は各々、図６ａ〜図６ｄに図示されるように、表示要素を用いて円弧の形態で表示され、この場合、円弧の長さは対応する代表値に比例する。代表値の合計が、所定の定数（Ｘ）である２４に等しいとき、図６ａ及び図６ｃに図示されるように、実質的に隣接して配置される表示コンポーネントは円の周囲に延びる。
【０１０５】
一実施形態では、ディスプレイは、ユーザが表示要素の各々と直接対話することができるように、タッチスクリーンとして提供される。これは、ユーザに、画像キャプチャデバイスの属性の変更が、キャプチャされる画像に与えることになる影響に関するフィードバックを常に受けながら、画像キャプチャデバイスのこれらの属性を制御するための簡単かつ直感的な方法を提供する。加えて、これはまた、ユーザによるこれらの変数属性のうちの１つの変数属性における変更が、他の属性のうちの１つの属性における、自動的な結果として起こる変更をもたらす、半自動モードを実装するための直接的かつ直感的なプロセスも提供する。具体的には、タッチスクリーンを使用するとき、半自動制御モードは、ユーザが画像キャプチャデバイスの属性に対応する表示要素の一端にタッチしてスワイプするとき、これが、ユーザによってタッチされた表示要素のサイズを変更し（すなわち、スワイプの方向に応じて、増加又は減少）、そしてユーザによってタッチされた端部に隣接する表示要素のサイズ（及びデバイスの対応する代表値及び属性）も変更することになるように、コントロールを構成することによって実装され得る。
【０１０６】
したがって、これは、ユーザが単に表示要素の一端にタッチすることによって半自動モードを使用することを可能にし、この半自動制御モードにより、ユーザが、表示要素のどの端部にタッチするかを選択することによって、他の属性のうちのいずれの属性を自動的かつ結果的に調整すべきかを効果的に選択することを可能にすることを提供する。例えば代表値が各々、円弧の形態の表示要素を用いて表示され、円弧の長さが対応する代表値に比例する実施形態では、ユーザは、絞り変数に関連する表示要素に合う端部に近い位置で時間変数に関連する表示要素にタッチして、時間変数を調整するようにスワイプすることができる。画像キャプチャデバイスは、このアクションが、ユーザがシャッター優先モードの使用を望むことを暗黙的に示すように構成されてよい。シャッター優先モードでは、代表値の合計が確実に所定の定数（Ｘ）に等しくなるように、絞りが自動的に調整される。
【０１０７】
次いで、デバイスは、ユーザが表示要素にタッチしてその２つの端部のいずれかから離れるようにスワイプするとき、完全手動モードを実施するように構成されてよい。この場合、ユーザによってタッチされた表示要素のみサイズが変化（すなわち、スワイプの方向に応じて増加又は減少）することになる。
【０１０８】
また、半自動モードを実装するこの直接的な方法が、機械的コントロールを用いて提供され得ることも想定される。一例として、画像キャプチャデバイスは、カメラ属性に関連する画像変数を制御するために、絞りサイズ（Ｄ）、感度（Ｓ）、露出時間（Ｔ）の各々について１つずつ、３つのダイヤル／ホイールを備えることができる。次いで、好ましい半自動モードを実装することは、ダイヤル／ホイールのうちの１つ以上をボタンとしても機能するように構成することによって達成することができ、この場合、ダイヤル／ホイールの１回の押下は、対応する半自動モードを選択する。次いで、ダイヤル／ホイールを使用して、対応する画像変数の代表値を設定することができる。例えば絞りホイールを押すことにより、絞り優先モードが選択され、一方、露出時間ホイールを押すことにより、シャッター優先モードが選択されることになろう。あるいは、ダイヤル／ホイールの各々は、一方が他方の上に積み重ねられる２つのダイヤル／ホイールによって提供されてもよく、この場合、上のダイヤルを回転させることにより、第１半自動モードが選択され、下のダイヤルを回転させることにより、第２半自動モードが選択され、両方のダイヤルを一緒に回転させることにより、手動モードが選択される。
【０１０９】
上述の個々の項目は、それ自体で、あるいは図面に示されているか又は説明に記載されている他の項目と組み合わせて使用されてよく、互いに同一の箇所又は同一の図面に記載されている項目は、互いに組み合わせて使用する必要はないことが理解されるであろう。加えて、「手段」という表現は、望ましいように、アクチュエータ又はシステム又はデバイスに置き換えられてよい。さらに、「備える（comprising）」又は「から成る（consisting）」への言及は、いかなる意味においても限定するように意図されておらず、読者は、明細書及びクレームを相応に解釈すべきである。
【０１１０】
さらに、本発明は、上記の実施形態に関して説明されているが、これらの実施形態は例示的なものに過ぎないことが理解されるべきである。当業者は、本開示を考慮して、添付の特許請求の範囲に含まれると考えられる修正及び代替を行うことができるであろう。特に、上記の実施例は、画像キャプチャデバイスにおけるそれらの使用に関連して説明されているが、当業者には、上述の実施形態の様々な特徴は、画像処理デバイスや画像ビューデバイス、スタンドアロンの光度計及び露出計算器といった非イメージングデバイスを含む他のデバイスに、並びにウェアラブル及び拡張現実デバイスにおいて、あるいは互いに関連して制御される１つ以上の変数を含む任意のデバイスにおいて等しく適用可能であることが認識されよう。
【０１１１】
例えば上述の方法は、画像処理デバイスによって、画像の後処理中に、画像を編集する際にユーザコントロール及びフィードバックを提供するために実施され得る。更なる例として、上述の方法は、スタンドアロンの光度計及び露出計算器によって、そのようなデバイスを使用するときにユーザコントロール及びフィードバックを提供し、画像をキャプチャするのに使用されるべき画像キャプチャデバイスの属性を決定するために実施され得る。また更なる例として、上述の方法の態様は、画像ビューデバイスによって、画像を表示するときに、該画像が上述の表示要素を伴い、それにより、画像をキャプチャするために使用される画像変数を示すように実施され得る。
【０１１２】
さらに、上述の実施例は、従来の画像キャプチャデバイスにおけるそれらの使用に関連して説明されているが、マルチカメラ／レンズモジュールと組み合わせた「計算画像化」技術を利用する画像キャプチャデバイスにも等しく適用可能である。この点に関し、計算画像化は、従来の比較的大きな電子画像センサの利点が、個々の低情報画像を計算的に組み合わせて大情報画像を形成することができる多くの小型電子画像センサの組合せを通して達成されることを可能にするアプローチである。例えば小型電子画像センサの３×３アレイ（１２ｍｍ×９ｍｍ）は、同じ組合せ領域を有し、したがって、単一のフルフレームセンサ（３６ｍｍ×２４ｍｍ）からのものと同様の量の光及び情報を収集することができる。しかし、比較的小さな電子画像センサのアレイは、フルフレームセンサのものよりもはるかに平坦であり、かつはるかに小さな体積を占めるように配置される可能性がある。計算画像化を用いてキャプチャされた画像は、従来の画像キャプチャデバイスで達成可能な効果を再現するために適用される、合成粒度ブラー（synthetic  grain  blur）（画像センサの感度と正の相関性を有する）、モーションブラー（露出時間と正の相関性を有する）及び背景ブラー（絞りサイズと正の相関性を有する）を有する可能性がある。したがって、上述の方法は、計算画像化を用いてキャプチャされた画像に合成露出効果を適用するときに実施されることもある。
【０１１３】
加えて、これらの方法は、そのような状況において更なる利点を提供するように適合され得る。例えば合成露出効果（synthetic  exposure  effects）は、画像輝度／明るさに対して対応する増大した効果を有する必要がないので、合成露出効果の各々は、キャプチャされた画像の画像変数を表すこれらの表示要素とは別／別個である、それら自体の表示要素を使用して、ディスプレイ上に表現され得る。次いで、これらの合成露出効果のいずれかを増加又は減少させることは、対応する別個の表示要素の寸法における正の相関の増加又は減少を招くように構成される。しかしながら、合成露出効果の各々を表す別個の表示要素は、キャプチャされた画像の画像変数を表す表示要素に対してオフセットされ得るので、これにより、合成露出効果における変化が、画像輝度／明るさに影響を及ぼさないことを示す。
【０１１４】
図面を参照して上述した実施形態のいくつかは、コンピュータ装置及びコンピュータ装置において実行されるプロセスを含むが、説明された方法及び装置は、任意の態様がコンピュータプログラム、特に本発明を実行するのに適合されるキャリア上又はキャリア内のコンピュータプログラムに及ぶことを意味すると考えられる。プログラムは、ソースコード又はオブジェクトコードの形態又は任意の態様のプロセス／装置の実装における使用に適した任意の他の形態であってもよい。キャリアは、プログラムを運ぶことができる任意のエンティティ又はデバイスとすることができる。
【０１１５】
例えばキャリアは、例えばＣＤ  ＲＯＭ又は半導体ＲＯＭ等のＲＯＭや、例えばフロッピーディスク又はハードディスク等の磁気記録媒体といった、記憶媒体を備えることができる。さらに、キャリアは、電気又は光ケーブルを介して、あるいは無線又は他の手段によって伝送され得る電気信号又は光信号のような伝送可能なキャリアであってもよい。
【０１１６】
プログラムが、ケーブルや他のデバイス又は手段によって直接伝達され得る信号で具現化されるとき、キャリアは、そのようなケーブルや他のデバイス又は手段によって構成されてよい。
【０１１７】
あるいは、キャリアは、プログラムが組み込まれる集積回路であってもよく、集積回路は、関連するプロセスを実行するために又はその実行で使用するために適合される。
【０１１８】
画像変数が正又は負の値を含む可能性があることが理解される。例えばイメージングデバイスの場合、露出に使用される画像変数の各々は、無限の正の値から無限の負の値までの範囲を占める可能性がある。
【０１１９】
画像変数が負の値に変化すると、表示コンポーネントは対応して負の値として表示される。したがって、これは、先行する値の終わりに始まるが、正に連続的に続くのではなく、表示コンポーネントは、同じ寸法に沿って負に進行する。この負の移動は、正の値に対する移動方向と比較すると、ディスプレイの後方への移動として表現され得る。表示コンポーネントは、隣接して配置される値が互いを不明瞭にしないことを保証するために、負の値の場合のように、オフセットされ、したがって、同じ円の周囲の異なる半径の経路に従うことがある。
【０１２０】
画像変数がゼロ値に変化するとき、表示コンポーネントは対応して、ゼロ値に縮小され、したがって、消えるように配置され得る。しかしながら、画像変数表示コンポーネントがゼロ値であっても、その画像変数表示コンポーネントがどこにあるかをユーザに示す方法を提供することは有利である。ユーザは、将来、それを非ゼロ値に変更するように変数を制御することを望む可能性がある。
【０１２１】
さらに、イメージングデバイスのコンテキストでは、異なる露出変数がすべて、最終的な画像輝度に寄与することがある。これらの露出変数は、シーン輝度、絞りサイズ、時間及び感度を含むことができる。これらの画像変数に加えて、計算画像化技術を用いて、例えば同じシーンの複数の画像を組み合わせるか又は「積み重ねる」ことを通して、画像輝度を増加させることができる。例えば２つの画像は画像輝度を２倍にし、１６の画像は、画像輝度を４回２倍にするであろう。これは、１＊２４と表されてよい。
【０１２２】
変数値の範囲が使用され得ることが理解されるが、例示的な値の表が以下に示される：
【表１】
2020525862.tif 000003
【０１２３】
上記でハイライトした値を使用した結果を図１３に示すことができる。
【０１２４】
Ｌｒ＋Ａｒ＋Ｓｒ＋Ｔｒ＝Ｘという上記の数式１の各変数は、従来のメトリックから各値を変換するそれ自体の式によって定義することができる。これは、露出のための異なるナンバリングシステムと、その構成メトリック（Ｌｒ、Ａｒ、Ｓｒ、Ｔｒ及びＸ）の各々のための新しいスケールを含んでよい。各メトリックに対して、変化率とベースライン値又はゼロ値が定義される。
【０１２５】
これらのメトリック及びナンバリングシステムのために、全体として、共通の基準が確立されることが望ましい。
【０１２６】
各メトリックのスケールは任意に設定されてよいが、各メトリックのスケーリングとそれらの間の相互作用の各設計選択には、多くの結果又は制約がある。これらの制約に対応することは、もはや任意ではない、ナンバリングシステムと、一組のスケーリングされたメトリックとにつながる可能性がある。メトリックのスケールとベースラインを変更する余地は限られているが、上記の表の値は制約に基づくバランスを表している。
【０１２７】
本明細書で開示される構成の目的は、ユーザに以下を行う能力を与えることである：  
●  各変数の値と、各々が表す技術的効果についての精通性を迅速に構築すること；
●  各画像変数の現在の値について迅速な視覚的評価を行うこと；
●  目標画像輝度に対する最終画像の輝度について迅速な視覚的評価を行い、それにより最終画像が暗すぎるか、明るすぎるか又は正しく露出されているかを判断すること；及び／又は
●  画像変数と所定の定数（Ｘ）の間の相互作用を頭の中で計算し、したがって、実施すべき設定の計画を支援すること。
【０１２８】
一実施形態において、所定の定数（Ｘ）は２４として定義され得る。これは、Ｓｒ、Ａｒ及びＴｒの広範囲のシーン輝度及び変数に対応するのには十分に大きい値であるが、一方で、典型的なユーザが暗算を実行して画像変数の値を合計して画像輝度の値に到達するのには十分に小さいままである。
【０１２９】
ドーナツチャートのような実質的に円形のインタフェースを有する実施形態では、以下の理由により、１２又は２４のいずれかの目標合計値が望ましい：
●  今日の人々の円形のディスプレイデバイス上の１２又は２４ユニット構成（すなわち、時計）に対する精通性；
●  ２４という値の高い分割可能性、すなわち、１、２、３、４、６又は８の整数のいずれかによって分割可能であること；
●  コンパスの基点（６、１２、１８、２４の位置）に対する画像変数の位置と大きさをユーザが視覚的に容易に判断することができること。
●共通基数が２の指数の使用。
【０１３０】
各画像変数は、共通基数に対する指数値として表現され、本実施形態では、基数２である。これは、上記で開示されるように、Ｘ＝Ｌｒ＋Ｓｒ＋Ａｒ＋Ｔｒという簡潔な式を可能にする。従来使用されていた値の大部分については、画像変数は正の値である。円形の実施形態では、これは、構成表示要素がすべて進行し、その各々が次の要素に正に続く、円の明確なフィードバック及び制御インタフェースを達成することができる。また、ユーザは、画像変数の比較的直接的な暗算の使用と、画像変数のサイズ及び位置に関する明確な視覚的判断を通してサポートされ得る。
【０１３１】
変数値がすべて正の値である例示のケースでは、それらの値は、それら自体に対して二重に戻る（double  back）ことはないので、並列表示要素に誤ってタッチすることなく、所望の表示要素にタッチすることが容易な整理されたコントロールインタフェースを提供する。値が負になる場合、これは異常であり、正常範囲外であることをユーザに示す。
【０１３２】
多くの従来的な現代のカメラの画像センサは、ＩＳＯ  ５０〜ＩＳＯ  ２００の間の基本感度を有する。ＩＳＯ  １００は、露出値ＥＶを測定するためのベースラインを設定する際に（この例では、ＥＶ１００に設定される）特定の役割を果たす。Ｓがゼロ値を有するとき（「Ｓ０」）、それは、ユーザインタフェースにおいて見えなくなるか、少なくとも目立たないように残ることがあり、それによって、ディスプレイ上の画像変数の数を減少させ、残りの値に対するユーザによる更なる焦点を可能にする。これは、ユーザインタフェース（「ＵＩ」）をできるだけ整理された状態に保つ助けとなり得る。この例では、Ｓ０はＩＳＯ  ２５〜ＩＳＯ  ４００の間で設定される。
【０１３３】
上記の例では、時間Ｔ０＝１／４，０００秒（「ｓｅｃ」）。１／８，０００秒〜１／２，０００秒は、今日のカメラで市販の機械的シャッター速度のおおよその範囲と考えられる。電子シャッター速度は、かなり速い可能性がある。
【０１３４】
Ｘ＝２４と組み合わせて、Ｓ０を１／４，０００に設定することにより、一連の値が得られ、この場合、ＵＩの円の周囲の四分の一の円弧を進行することに関連する自然な屈折（natural  inflections）が時間内に測定された。例えば１／４，０００＝０（空の円）、１／６０秒＝６（四分の一の円）、１秒＝１２（半分の円）、１分＝１８（四分の三の円）又は６０分＝２４（完全な円）のように、ユーザが覚えやすい点が提供され得る。Ｔ０を設定する例示的な値は、１／１，０００秒〜１／６４，０００秒の間である。
【０１３５】
上記の例では、絞りＡ０＝ｆ２２である。可変の絞りカメラの値の範囲は、従来的に、ｆ２からｆ１６まで設定可能であり、より専門的なレンズは、ｆ１から４５までの範囲に広がるように動作可能である。この範囲は、光法則の物理的制約によって定義される。回折は、非常に高いｆ値に対しては、美的に受け入れられないと考えられ、レンズは、ｆ１未満の値では、非実用的に重くなり、高価になる。Ａ０を設定する例示的な値は、ｆ４５とｆ１６との間である。
【０１３６】
輝度をＬ０＝０．０１６ｃｄ／ｍ２に設定することは、満月（full  moon）によって照らされるシーンのものに相当する。画像の大部分は、満月から雪の上の完全な太陽まで自然な採光状態と同等の範囲内の照明条件で撮影される。これは、およそ１９ストップの輝度範囲（１９回の倍増（19  doublings））である。写真は、従来的にこの範囲内の照明条件下で、その範囲よりもより暗い又は明るいシーンよりも頻繁に撮影される。輝度スケールのゼロベースラインを１６ｃｄ／ｍ２に相当する設定することは、最も明るい自然条件（例えば雪の上の完全な太陽）までの正の輝度値に適合するように円形インタフェース配置に十分な空間を提供し、残りの画像変数の１つ以上がゼロ以外の正の値を有するように空間を残すことができる。Ｌ０の例示的な値は、０．０１６ｃｄ／ｍ２から０．００４ｃｄ／ｍ２の間である。
【０１３７】
画像スタッキングは、異なる方法を使用して実行されてもよい。複数の画像を、同じイメージングデバイスから時間的に別々に撮影することができ、複数の画像を、異なるカメラのアレイから同時に撮影することもでき、その２つの組合せも可能である。各方法は、「ブラー」とも呼ばれる異なる画像収差を生じる。
【０１３８】
「タッチ可能」アイテムとして認識可能なものをユーザに与えることが、実際には積極的なユーザ体験を提供することが知られている。タッチタブは、従来的に、ユーザがタッチするために、各表示コンポーネントの端部でアイコンとして使用されることがある。タブを使用する場合、タブのサイズは、表示コンポーネントが隣接して配置される寸法に沿って伸びるので、表示コンポーネントのサイズに寄与し得る。
【０１３９】
カメラのようなイメージングデバイスを、ユーザに視覚的なフィードバックを提供するヘッドマウントディスプレイにリンクさせることができる。このディスプレイは、上述のジェスチャコントロールと組み合わせて使用されてもよく、この場合、ユーザは、コントロールインタフェースの仮想バージョンを見ることができ、１つ以上のジェスチャを使用してそれを制御することができる。
【０１４０】
開示される方法の上述の使用は単に例示の目的であり、本明細書で開示される任意の方法、装置、システム又は部品のキットの一般的な形態が使用されてもよいことが更に理解されよう。
【０１４１】
技術が人々によって使用されるとき、従来的に、ユーザインタフェースチャレンジが存在する。したがって、ユーザインタフェースソリューションは、これらのユーザインタフェースチャレンジのサブセットに対して提供される。本明細書に開示されるソリューションは、全体的な効果を達成するために組み合わされる複数の入力変数を有する技術に関連して使用されてよい。これは「全一次効果（total  primary  effect）」と呼ばれることがある。また、個々の変数がそれぞれ二次効果（secondary  effect）を有することもある。このような技術は、全一次効果に影響を与えるように合計又は乗数される入力変数を含む。
【０１４２】
一実施態様において、例えば画像化の場合、光、絞り、時間及び感度を含む入力変数が存在する。これらのすべてが、画像の輝度の全一次効果に寄与する。これらの変数は各々、背景ブラー、モーションブラー、粒度ブラーという二次効果も有する。入力変数は、互いに乗算して最終的な画像輝度を達成する。
【０１４３】
各入力変数は、基数と指数を含むべき乗で表すことができる。すべての入力変数に共通の基数を使用することにより、各変数の指数を使用してその値を表すことができる。
【０１４４】
すべての変数が共通の基数を使用するので、各入力変数の指数を合計することによって、全一次効果を計算することができる。画像化の例では、基数２が使用される。つまり、絞りサイズ間の増分は倍になり、同様に、時間値間の増分も倍になる（例えば１／１０００秒、１／５００秒、１／２５０秒等）。したがって、４つの変数を乗算する例は、次のようになる：
２１２×２３×２３×２６＝２２４
【０１４５】
これは、以下のように簡略化されてもよい。
１２＋３＋３＋６＝２４
【０１４６】
次いで、この式は、ディスプレイ及びコントロールデバイスにおいて具体化することができる。したがって、情報及びコントロールフィードバックループが提供される。情報の表示は、制御されているデバイス又はシステムの基礎をなす物理を反映する。それは、他の方法では相互依存変数の複雑なセットであるものを理解し、淀みなく制御するためのモデルをユーザに提供する。これは、情報システムの物理及び／又は設計に合致する直感的な制御インタフェースを提供する。画像化の場合に生成される変数の「円」は、最終的な画像輝度を支配する式の視覚化とみなすことができる。
【０１４７】
これらのような技術システムでは、すべて同じ全一次効果を届ける、複数あるいは無限もの入力変数の配置を可能にする。画像化を用いて更に説明するために、光、絞り、時間及び感度に関する設定の無限のバリエーションを組み合わせて、画像の輝度の同じ全一次効果を届けることができる。しかしながら、入力変数の二次効果は非常に異なるであろう。したがって、ユーザは、解決すべき複雑な最適化問題を有する。
【０１４８】
したがって、条件の複雑なセットが生成される。適切なフィードバックがなければ：（何らかのベースラインに対する）各変数のレベル；全一次効果に対する入力変数の各々の関係；又は各入力変数の互いに対する関係；を直感で知ることは困難である。
【０１４９】
更なる例も提供される。以下の例の共通のテーマは、「円」表示を使用してエネルギー読み取り値を与えることである。輝度、オーディオ音量及び熱的快適性のいずれもエネルギーに関連すると考えられてよい。
【０１５０】
バイオリンの使用ケースでは、弓の速さ、弓圧、こまに対する弓の近さ、弓の角度という４つの方法により、バイオリンの音量を増加させることができる。４つの変数はすべて音量（全一次効果）に寄与するが、音質に対しては、それ自体の非常に異なる影響を有する：
●  より早いボーイングは音量を増加させ、「よりきつい（harsher）」音になる；
●  弦に対する弓の圧力は音量を増加させ、「より太い（fuller）」音になる；
●  弓をこまに近づけて演奏することは音量を増加させ、「より広がりのある（broader）」音になる；
●  弓の角度は、弾く弦の数を決める。弦がより多いと音量が増加し、演奏されている更なる音を追加する。
【０１５１】
これらの変数の各々を、例えばスマートフォン又はコンピュータ・タブレット・アプリケーションを介してリアルタイムで記録することができ、本明細書で開示される円表示配置として画面上に表示してもよい。その後、練習中のバイオリニストは視覚的なフィードバックを受けて、自分が感じることを強化して、自分がしていることを聞くことができる。変数は、バイオリンに対する弓の相対的な位置及び角度を与える器具上のセンサ又はこれらの効果を聴取するマイクロホン及びコンピュータを介して測定されてよい。
【０１５２】
他のオーディオ関連の用途に関連して、オーディオデータを操作する多くの方法がある。コントロールの１つのサブセットは、音量と、特定の周波数帯域（バス、ミッド及びトレブルトーン）のボリュームを含む。これらは、低、中及び高周波数の周波数帯域に関連する。音量は、ラウドネスとも呼ばれ、音圧（の尺度と考えられてもよい。音圧は、音の全周波数のエネルギーレベルの合計である。周波数帯域のいずれか１つ、すなわち、ベース、ミッド又はトレブルのいずれかを増やすと、その帯域の音量が増加することになり、全体の音量の全一次効果が増加することになる。
【０１５３】
熱的快適性のための使用ケースにおいて、本明細書で開示される方法は、スマートホームにおける熱的快適性のための制御インタフェースのコンポーネントとして使用されてもよい。熱的快適性の全一次効果に寄与する入力変数は、環境からのもの、すなわち：気温、空気速度、放射熱、相対湿度が含まれてよく；人間からのもの、すなわち：代謝率、衣服、個人の較正／反応、皮膚の乾燥／発汗、空気中の人の速さ、心理的ファクタを更に含んでもよい。
【０１５４】
暖房、空調、湿度、ブラインド／放射、換気風速が制御されるスマートハウスの場合、家主は、スマートウォッチ又はメガネのように、ユーザの代謝率、着衣、皮膚の乾燥及び動きを検出するウェアラブルデバイスを装着してよい。熱的快適性に寄与する１つ以上の入力の経験的読み出しを計算することができる。ユーザには、これらの入力の要約を示し、便利な方法でスマートハウスに対するユーザコントロールを与えるディスプレイ／入力デバイスが提示されてよい。例えば所望の出力−合計値Ｘを設定するために使用される−のための目標電力消費量又は他の容量又は「予算」が存在してよく、次いでこれに寄与する変数を、対話型表示コンポーネント、例えばドーナツチャートセクションの一部として設定することができ、これは、次に、いくつかのスマートハウスシステムの電力設定−例えば空調、バッテリー充電−を設定するために、ユーザによって変更され得るが、いくつかの変数は、実際の電力消費量−例えば冷蔵（refrigeration）のような必須のシステムのための電流消費電力（current  power  draw）によって決定され得る。
【０１５５】
ユーザフィードバック及びコントロールデバイスの両方である円形ウォーターフォールチャート（circular  waterfall  chart）を使用することによって、複数の入力変数に対して、並びに全一次効果に対して、コントロールが与えられ得る。円形の実施形態を使用することによって、経路が原点に戻るすべての方向に到達するとき、明確な終点が提供される。比較として、情報の線形表示は、従来的に、シークエンスの終点と、おそらくは開始点を示すためにマーカーを必要とする。さらに、人間の心は、直線セグメントの長さよりも円弧の相対的な長さを判断することの方がより管理しやすいと考えることが多い。１／４、１／２、３／４及び完全な円に近似する比率を一目で理解することができ、円が不完全であるか完全であるかを検出するだけでなく、これらの間の値を判断することができる。
【０１５６】
本明細書に記載される任意のシステムの特徴は、方法の特徴として提供されてもよく、その反対も可能である。本明細書で使用されるとき、ミーンズプラスファンクションの特徴は、それらの対応する構造に関して代替的に表現されてよい。
【０１５７】
ある態様における任意の特徴は、任意の適切な組合せで他の態様に適用されてもよい。特に、方法の態様はシステムの態様に適用されてもよく、その反対も可能である。さらに、ある態様における任意の特徴、いくつかの特徴及び／又はすべての特徴は、任意の適切な組合せで、任意の他の態様における任意の特徴、いくつかの特徴及び／又はすべての特徴に適用され得る。
【０１５８】
また、任意の態様において説明され、定義される種々の特徴の特定の組合せを、独立に実装及び／又は供給及び／又は使用できることを理解すべきである。
【図１】
2020525862.tif 000004
【図２】
2020525862.tif 000005
【図３】
2020525862.tif 000006
【図４】
2020525862.tif 000007
【図５】
2020525862.tif 000008
【図６ａ】
2020525862.tif 000009
【図６ｂ】
2020525862.tif 000010
【図６ｃ】
2020525862.tif 000011
【図６ｄ】
2020525862.tif 000012
【図６ｅ】
2020525862.tif 000013
【図６ｆ】
2020525862.tif 000014
【図６ｇ】
2020525862.tif 000015
【図６ｈ】
2020525862.tif 000016
【図６ｉ】
2020525862.tif 000017
【図６ｊ】
2020525862.tif 000018
【図７ａ】
2020525862.tif 000019
【図７ｂ】
2020525862.tif 000020
【図７ｃ】
2020525862.tif 000021
【図７ｄ】
2020525862.tif 000022
【図８】
2020525862.tif 000023
【図９】
2020525862.tif 000024
【図１０】
2020525862.tif 000025
【図１１】
2020525862.tif 000026
【図１２】
2020525862.tif 000027
【図１３】
2020525862.tif 000028
【国際調査報告】
2020525862.tif 000029
2020525862.tif 000030
2020525862.tif 000031